(57)【要約】【課題】  分起用と延長用のいずれにも適用でき、システム配線施工における工程数を削減し、設置を簡単に行うことができるケーブル接続用コネクタを提供すること【解決手段】  導電性のコンタクト１２を実装するハウジング本体１１と、コンタクトを被うように前記本体に装着されるケーブル固定カバー１３を備える。ケーブル固定カバーは、ケーブルを装着するための装着エリア（溝部３４）を有する。装着エリアは、前後が開口してケーブルの任意の中間位置にセット可能とし、その装着エリアの一方の開口部の近傍に、ケーブルストッパ４０を設ける。ケーブルストッパは、ケーブル固定カバーに対し、折込可能に連結される。そして、基準状態では一方の開口部を閉塞しない箇所に位置して分起用コネクタを構成し、基準状態からケーブルストッパを移動させ一方の開口部を閉塞させることにより延長用コネクタを構成する。【選択図】        図２
2005216688.tif 000002
【特許請求の範囲】
【請求項１】
１または複数の導電性のコンタクトを実装する本体と、
前記コンタクトを被うようにして前記本体に装着されるケーブル固定カバーを備え、
前記本体は、他のコネクタと接続するためのコネクタ部を有し、
前記コンタクトの一端は前記コネクタ部に位置させるとともに、前記コンタクトの他端は前記ケーブル固定カバーに向けて伸びるように配置され、
前記ケーブル固定カバーは、ケーブルを装着するための装着エリアを有するとともに、前記コンタクトに対応する位置に、前記本体側対向面から前記装着エリアに至る貫通孔を有し、前記装着エリアに前記ケーブルを装着した状態でそのケーブル固定カバーを前記本体に取り付けると、前記コンタクトの他端が前記装着エリア内に突出して前記ケーブルの芯線と導通するように構成されたケーブル接続用コネクタであって、
前記装着エリアは、前後が開口してケーブルの任意の中間位置にセット可能とし、
その装着エリアの一方の開口部の近傍に、ケーブルストッパを設け、
そのケーブルストッパは、前記ケーブル固定カバーに連結されるとともに、基準状態では前記一方の開口部を閉塞しない箇所に位置し、その基準状態から前記ケーブルストッパを移動させることにより前記一方の開口部を閉塞し、前記ケーブルの端部がその一方の開口部から外部に突出されないようにしたことを特徴とするケーブル接続用コネクタ。
【請求項２】
前記ケーブルストッパは、前記開口部を閉塞可能なストッパ本体と、そのストッパ本体と前記ケーブル固定カバーを連結する薄肉の連結片を備え、
その連結片を折り曲げることにより前記基準位置に位置している前記ストッパ本体を前記開口部を閉塞する位置に移動させるようにしたことを特徴とする請求項１に記載のケーブル接続用コネクタ。
【請求項３】
前記ケーブル固定カバーは、開閉可能に連結されたカバー本体と蓋部を備え、
前記装着エリアは、前記カバー本体と前記蓋部の対向面に形成した溝部により形成されることを特徴とする請求項１または２に記載のケーブル接続用コネクタ。
【請求項４】
前記本体内にプリント基板を実装し、
そのプリント基板に形成されたパターン配線と、前記コンタクトを導通させるように構成したことを特徴とする請求項１から３のいずれか１項に記載のケーブル接続用コネクタ。
【請求項５】
前記プリント基板を被うカバーを前記本体に取り付けたことを特徴とする請求項４に記載のケーブル接続用コネクタ。
【発明の詳細な説明】
【技術分野】
【０００１】
この発明は、ケーブル接続用コネクタに関するものである。
【背景技術】
【０００２】
ＦＡ（ファクトリーオートメーション）システムでは、ＰＬＣ（プログラマブルコントローラ）等の親局と、伝送ターミナルなどの子局が、ケーブルを介して接続されたネットワークが構築される。ところで、実際の現場にて係るシステムの設置を行なっている場合において、複数のケーブルを連結して伝送路を構築することが行なわれる。これは、現場での配置レイアウトの変更その他の理由から、１本のケーブルでは長さが足りず、複数本のケーブルを直列に接続して延長したり、１本のケーブルの中間部位に別のケーブルを電気的・機械的に連結して分岐したりする。このとき、ケーブル同士の接続を簡単かつ確実に行うために雄雌一対のコネクタが用いられる。
【０００３】
このコネクタは、種々の形状及び構造を有するが、通常、樹脂製のハウジングと、その中に収容される金属製のコンタクトとを有する。接続対象（ケーブル）の導体（心線）の数と少なくとも同数のコンタクトが備えられ、それぞれのコンタクトがケーブルの各心線に電気接続された状態でハウジング内に固定され、ハウジングはケーブルの被覆に固定される。そして、雌雄一対のコネクタ同士を嵌め合わせたときに、一方のコネクタのコンタクトが他方のコネクタの対応するコンタクトに接触する。これにより、複数対のコンタクトの接触状態が確保され、ケーブル同士が電気的に接続される。
【０００４】
そして、係るコネクタの従来例としては、各種のものがあるが、ケーブルの分岐と延長の両方に対応可能なものとして、例えば特許文献１に開示されたものがある。この特許文献１に開示されたコネクタは、図１に示すようになっている。図１（ａ）は、分岐部分に適用したもので、一方のコネクタ１がケーブル６ａの中間部に接続され、他方のコネクタ２が別のケーブル６ｂの端部に接続されている。また、図１（ｂ）は、ケーブルの延長に適用したもので、コネクタ１，２が共にケーブル６ａ，６ｂの端部に接続されている。図示省略するが、いずれの場合も、コネクタ１，２内には、金属製のコンタクトが内蔵されており、ケーブル６ａ，６ｂの芯線に導通するとともに、コネクタ１，２を連結することにより相手方のコンタクト同士が接触し導通する。これにより、２本のケーブル６ａ，６ｂ同士が導通される。
【０００５】
また、図１（ａ），（ｂ）のいずれの場合も、コネクタをケーブルの端部に接続する場合は、ケーブルの端部が外部から見えないようにする目隠し部３ａがハウジング３に設けられる。この目隠し部３ａは、例えば薄肉部を介してハウジング３に接続された状態で一体に成形されている。そして、ハウジング３をケーブル６ａ，６ｂの端部に接続する場合は、ハウジング３をそのまま使用し、ハウジング３をケーブル６ａの中間部に接続する場合は、目隠し部３ａを取り除いたハウジング３を使用する。このようにすれば、コネクタをケーブルの端部または中間部のいずれに接続する場合であっても共通のコネクタを使用することができる。つまり、標準的に延長時に使用する構成で作られており、追加工（目隠し部３ａの除去）することにより分岐時も使用できるような構成を採っている。
【特許文献１】特開２０００−２７７２２０号公報
【発明の開示】
【発明が解決しようとする課題】
【０００６】
しかしながら、上記した従来のコネクタの場合、分岐用に使用するためには、ハウジング３から目隠し部３ａを取り除いて除去するようにしているため、設置現場でのごみの発生を伴う。しかも、目隠し部３ａは小さいものであるため、除去後に落としてしまい、周囲を汚してしまうという問題がある。
【０００７】
さらに、実際のＦＡシステムを構築する現場では、ケーブルを延長するためにコネクタを使用することよりも、分岐するためにコネクタを使用することの方が多い。そのため、分岐の都度コネクタを追加工しなければならず、配線工数がかかっていた。
【０００８】
一方、省配線システムの通信の特性として一般的に、分岐箇所が多くなるほど反射波の影響で通信性能が劣化してくる。そのため省配線システム上での接続台数や、分岐長長さに制約が生じる。
【０００９】
この発明は、分起用と延長用のいずれにも適用できるケーブル接続用コネクタにおける現場での設置作業（システム配線施工）における工程数を削減し、設置を簡単に行うことができるケーブル接続用コネクタを提供することを目的とする。
【課題を解決するための手段】
【００１０】
この発明によるケーブル接続用コネクタは、１または複数の導電性のコンタクトを実装する本体と、前記コンタクトを被うようにして前記本体に装着されるケーブル固定カバーを備え、前記本体は、他のコネクタと接続するためのコネクタ部を有し、前記コンタクトの一端は前記コネクタ部に位置させるとともに、前記コンタクトの他端は前記ケーブル固定カバーに向けて伸びるように配置され、前記ケーブル固定カバーは、ケーブルを装着するための装着エリアを有するとともに、前記コンタクトに対応する位置に、前記本体側対向面から前記装着エリアに至る貫通孔を有し、前記装着エリアに前記ケーブルを装着した状態でそのケーブル固定カバーを前記本体に取り付けると、前記コンタクトの他端が前記装着エリア内に突出して前記ケーブルの芯線と導通するように構成された物を前提とする。そして、前記装着エリアは、前後が開口してケーブルの任意の中間位置にセット可能とした。さらに、その装着エリアの一方の開口部の近傍に、ケーブルストッパを設け、そのケーブルストッパは、前記ケーブル固定カバーに連結されるとともに、基準状態では前記一方の開口部を閉塞しない箇所に位置し、その基準状態から前記ケーブルストッパを移動させることにより前記一方の開口部を閉塞し、前記ケーブルの端部がその一方の開口部から外部に突出されないようにした。ここで、本体側対向面は、実施の形態では底部１３ａに対応する。コンタクトの他端は、実施の形態ではケーブル接続端子に対応する。装着エリアは、実施の形態では溝部３４により囲まれ、両端開口した領域に対応する。
【００１１】
より具体的な構成としては、例えば、前記ケーブルストッパは、前記開口部を閉塞可能なストッパ本体と、そのストッパ本体と前記ケーブル固定カバーを連結する薄肉の連結片を備え、その連結片を折り曲げることにより前記基準位置に位置している前記ストッパ本体を前記開口部を閉塞する位置に移動させる（装着エリアに入り込む）ようにすることで実現できる。もちろん、他の構成を取ることもできる。
【００１２】
この発明では、基準状態ではケーブルストッパが装着エリアの開口部を閉塞せず、両端が開口しているため、その両端の開口から共にケーブルを外部に突出させることができるので、ケーブルの任意の中間部位にケーブル固定カバーを装着できる。そして、そのようにケーブル固定カバーにケーブルを装着した状態でそのケーブル固定カバーを本体に装着すると、コンタクトの他端がケーブルの芯線に接触して導通する。よって、本体のコネクタ部に、別のケーブルが接続されたコネクタを連結することにより、ケーブルの中間部位と、別のケーブルとを導通させることができる。つまり、基準状態では分起用コネクタとして使用できる。
【００１３】
一方、ケーブルストッパを移動させて装着エリアの一方の開口部を塞ぐと、その塞がれた側からはケーブルが突出しないので、ケーブル固定カバーにはケーブルの端部が位置する。そして、そのようにケーブル固定カバーにケーブルの端部を装着した状態でそのケーブル固定カバーを本体に装着すると、コンタクトの他端がケーブルの芯線に接触して導通する。よって、本体のコネクタ部に、別のケーブルが接続されたコネクタを連結することにより、ケーブルの端部と、別のケーブルとを導通させることができる。つまり、この状態では延長用コネクタとして使用できる。
【００１４】
このように、本発明によれば現場でのシステム配線施工において多用される分起用コネクタが基準状態となっているため、現場でそのまま使用して配線処理することができる。また、延長ようとして使用する場合には、ケーブル固定カバーに連結されているケーブルストッパを移動して装着エリアの一方端部を閉塞するといった追加工が必要となる。使用数の少ない延長用に使用するときに追加工をするため、施工全体から見ると、追加工の作業が削減できる。さらに、分起用，延長用のいずれの場合もケーブルストッパはケーブル固定用カバーに連結されているため、ごみが排出されない。
【００１５】
さらに、前記ケーブル固定カバーは、開閉可能に連結されたカバー本体と蓋部を備え、前記装着エリアは、前記カバー本体と前記蓋部の対向面に形成した溝部により形成することができる。このようにすると、蓋部を開いた状態で溝部にケーブルをセットし、次いで蓋部を閉めることにより簡単にケーブルの任意の位置をケーブル固定カバーにセットできる。
【００１６】
一方、上記した各構成を前提とし、前記本体内にプリント基板を実装し、そのプリント基板に形成されたパターン配線と、前記コンタクトを導通させるように構成するとよい。導通手段としては、実施の形態では、簡単かつ省スペースに実現するのに適したコンタクトに設けたピンをはんだ付けすることにより行っているが、他の構成をとっても良い。
【００１７】
このように、コネクタ内部にプリント基板を組み込める構成としたことにより、省配線システムの通信性能を安定しうる部品を内蔵することができ、省配線システムの信頼性を向上できる。
【００１８】
前記プリント基板を被うカバーを前記本体に取り付けるとよい。このようにすると、ケーブル固定カバーの有無にかかわらず、カバーを装着することによりプリント基板を閉塞することができる。また、カバーとケーブル固定カバーの位置関係を適宜に設定することにより、カバーのみ取り外してプリトン基板の修理等もできる。
【発明の効果】
【００１９】
この発明では、分起用と延長用のいずれにも適用でき、しかも、基準状態では使用頻度の高い分起用に用いるように構成されたため、現場での設置作業（システム配線施工）における工程数を削減し、設置を簡単に行うことができる。
【発明を実施するための最良の形態】
【００２０】
図２から図４は、本発明のコネクタの好適な一実施の形態を示している。このコネクタ１０は、分岐する場合と延長する場合の両方に適用する兼用タイプのものであり、分岐に用いた場合にケーブルの中間部分に装着することのできるコネクタである。
【００２１】
そして、このコネクタ１０は、樹脂製のハウジング本体１１と、そのハウジング本体１１に実装される金属製の４本のコンタクト１２と、その金属製のコンタクト１２を覆うようにしてハウジング本体１１の上方に装着される樹脂製のケーブル固定カバー１３とを備えたものを基本構成とする。さらに、本実施の形態では、コンタクト１２に導通するプリント基板１４をハウジング本体１１の上面に配置するとともに、そのプリント基板１４を覆うための樹脂製のカバー１５をハウジング本体１１に装着する。
【００２２】
ハウジング本体１１は、平板状の基盤部２０の一端に他のコネクタと接続するための雌型コネクタ部２１を一体的に形成している。雌型コネクタ部２１は、一端面と基盤部２０側に貫通する４本の貫通孔２２を有しており、それら各貫通孔２２内に、コンタクト１２の一端の接触部１２ａがそれぞれ挿入される。これにより、雄型コネクタ部を有する他のコネクタと連結した際に、雄型コネクタ部のコンタクト（ピン状に突出している）が、貫通孔２２内に挿入され、コンタクト１２と接触することにより、導通が図れる。
【００２３】
また、基盤部２０の上面には、貫通孔２２から他端に向けて伸びる４本の溝部２３が設けられる。この溝部２３にコンタクト１２がそれぞれ装着される。さらに基盤部２０の両側縁には、上方に向けて突出する矩形状の枠部２５を備えている。この枠部２５は、基盤部２０から上方に向けて起立された２本の支柱２５ａと、その２本の支柱２５ａの上端を連結する係止部２５ｂから構成される。係止部２５ｂは、その下面が傾斜面となり、ケーブル固定カバー１３の上面所定位置（後述する「係止凸部３８」）に接触し、ケーブル固定カバー１３の離脱を抑止する。
【００２４】
コンタクト１２は、良電導性の金属（例えば燐青銅）を用い、略Ｌ字形に曲げられた形状に形成される。上述したごとく、コンタクト１２を溝部２３に装着した状態では、そのコンタクト１２の一端の接触部１２ａが、雌型コネクタ部２１の貫通孔２２内に挿入される。また、コンタクト１２の他端は、上方に向けて折り曲げられて起立されてケーブル接続端子１２ｂが形成される。このケーブル接続端子１２ｂは、先端がＶ字状に切り込まれる（Ｖ字状切込部１２ｃ）とともに、Ｖ字状の頂点（最下点）からさらに下方に伸びるように切り込まれたスリット１２ｄを有している。さらにコンタクト１２の上面（接触部１２ａ近傍）には、上方に伸びるピン１２ｅが設けられている。このピン１２ｅは、プリント基板１４と接続を図るために用いられる。
【００２５】
プリント基板１４は、矩形状の小片から形成され、コンタクト１２のピン１２ｅに合わせた位置に４つの貫通孔１４ａが形成される。さらに、このプリント基板１４の表面には、所定パターン（この例ではＬ字状）のプリント配線１４ｂが２本形成されている。この２本のプリント配線１４ｂの先端同士は、一直線上に配置され、その先端同士を跨ぐようにして電子部品１４ｃが設置される。この電子部品１４ｃは、ここでは積層チップコンデンサである。また、プリント配線１４ｂの他端は、４つの貫通孔１４ａのうちの両側に位置する２つの貫通孔１４ａの周囲にまで延長形成されている。これにより、図５に示すように、各貫通孔１４ａ内にコンタクト１２のピン１２ｅを挿入するようにしてプリント基板１４を装着する。この状態で、ピン１２ｅをプリント配線１４ｂの他端にはんだ付けすることにより、プリント基板１４をコンタクト１２に電気・機械的に連結する。これにより、両側に位置するコンタクト１２同士は、電子部品１４ｃを介して導通されることになる。これにより、分岐箇所での反射波の影響を抑制し、通信性能の安定化を図ることができる。
【００２６】
このプリント基板１４を覆うためのカバー１５は、帯板状の本体（天板）１５ａの両側縁に下方に伸びる係止爪片１５ｂを設けた構成をとる。この係止爪片１５ｂは、カバー１５をプリント基板１４の上方に位置するように位置合わせさせた状態でハウジング本体１１に装着した際に、ハウジング本体１１の両側縁に設けた凹状切欠部４９に掛かり合うように設定される。これにより、カバー１５の離脱が抑止される。
【００２７】
ケーブル固定カバー１３は、カバー本体３０と、そのカバー本体３０の上方を被う蓋部３１を備え、それらカバー本体３０，蓋部３１はヒンジ部３２を介して連結される。カバー本体３０並びに蓋部３１の対向面には、ケーブルを固定するための溝部３４が形成される。本実施の形態では、接続対象のケーブルが、４本の芯線を有するフラットケーブルであるため、それに対応して溝部３４も平行に４本設けた。各溝部３４は、断面が略半円で前後方向に貫通するように形成される。
【００２８】
ヒンジ部３２は、カバー本体３０，蓋部３１の一方の側縁に設けられ、そのヒンジ部３２を設けた側縁側を中心に蓋部３１が開閉可能となる。また、このヒンジ部３２と反対側の他方の側縁には、カバー本体３０に上方に突出する係止爪３５を設けるとともに、その係止爪３５に対応する蓋部３１の所定位置に係止凹部３６を設ける。これにより、蓋部３１を閉じた際に、係止爪３５と係止凹部３６が係り合い、蓋部３１が開いてしまうことが抑止される。さらに、蓋部３１を閉じた状態の対向する溝部３４の上下端の距離を挿入するケーブルの厚さよりも若干短くしておく。すると、蓋部３１を開いた状態で片側の溝部３４（通常はカバー本体３０側）にケーブルをセットし、次いで蓋部３１を閉じてカバー本体３０の上面に被せるとともに、係止爪３５と係止凹部３６を連携させると、ケーブルは、蓋部３１，カバー本体３０間で所望の圧力で挟み込まれ、固定される。
【００２９】
一方、カバー本体３０には、溝部３１から底面３０ａに向けて上下に貫通する貫通孔３７が形成されている。この貫通孔３７は、コンタクト１２のケーブル接続端子１２ｂに対向する位置に形成され、ケーブル固定カバー１３をハウジング本体１１の上面所定位置に取り付けると、ケーブル接続端子１２ｂが貫通孔３７内を貫通し、ケーブル接続端子１２ｂの上端が、溝部３４内に位置するようになる。
【００３０】
さらに蓋部３１の左右両側面の略中央部位には、係止凸部３８を設けている。そして、ケーブル固定カバー１３をハウジング本体１１に装着した際に、その係止凸部３８がハウジング本体１１に設けた係止部２５ｂを乗り越えて下側に位置するように相対位置関係並びに寸法が設定されている。これにより、係止凸部３８と係止部２５ｂが掛かり合い、ケーブル固定カバー１３の離脱が抑止される。
【００３１】
蓋部３１の前後方向一端側には、ケーブルストッパ４０が一体的に形成されている。このケーブルストッパ４０は、矩形状のストッパ本体４０ａと、そのストッパ本体４０ａと蓋部３１を連結する薄肉の２本の連結片４０ｂを備えている。また、ストッパ本体４０ａの両端と蓋部３１の間は、切り込み部４１が形成されている。この切り込み部４１は、完全に切断されていてもよいし、容易に切断できるように一部が切断されているようにしてもよい。
【００３２】
そして、基準状態では、図２から図４に示すように、ストッパ本体４０ａ，連結片４０ｂの表面（上面）と、蓋部３１の上面が同一面上に位置し、溝部３１の両端が開放された状態となる。従って、図６から図８に示すように、この基準状態によれば、ケーブル固定カバー１３の前後両端が開放されるため、ケーブル５０の任意の中間部位を挟むようにしてケーブル固定カバー１３を取り付けることができる。
【００３３】
すなわち、まず図６に示すように、ケーブル固定カバー１３の蓋部３１を開いた状態で、ケーブル固定カバー１３の溝部３４に位置合わせをしつつケーブル５０の中間部分をセットする。次いで、図７に示すように蓋部３１を閉じる。すると、蓋部３１の係止凹部３６と、カバー本体３０の係止爪３５とが係りあい、蓋部３１が開くのを抑止される。これにより、ケーブル５０は、カバー本体３０と蓋部３１により挟み込まれた状態となる。この状態で、ケーブル固定カバー１３を位置合わせしつつハウジング本体１１に嵌め込むことにより、図８に示すようにケーブル固定カバー１３の両側からケーブルが突出した幹線側のコネクタが完成する。このコネクタ１０の雌型コネクタ部２１に別途用意した図示省略の支線用のコネクタ（雄型）を接続することにより、分岐配線が完成する。よって、この基準状態では、分起用のコネクタとして利用できる形態となる。
【００３４】
一方、延長用のコネクタとして利用する場合には、図９から図１２に示す手順により組み立てることにより行う。図９に示すように、ストッパ本体４０ａの両端を、切り込み部４１にて蓋部３１と完全に切り離した状態で、連結片４０ｂを折り曲げる。次いで、図１０に示すように、ケーブル５０の一端をまっすぐに切断するとともに、ケーブル５０の一端側をケーブル固定カバー１３の溝部３４にセットする。このとき、ケーブルの端部は、蓋部３１を閉じたときにケーブルストッパ４０（ストッパ本体４０ａ）に当たるように位置合わせをする。
【００３５】
その後、図１１に示すように、蓋部３１を閉じる。すると、蓋部３１の係止凹部３６と、カバー本体３０の係止爪３５とが係りあい、蓋部３１が開くのを抑止される。これにより、ケーブル５０は、カバー本体３０と蓋部３１により挟み込まれた状態となる。この状態では、ストッパ本体４０ａが下方に移動して溝部３４内に入り込み、片側を閉塞する。すると、ケーブル固定カバー１３は、ケーブル５０の端部を挟み込んで固定し、ケーブル５０の端部はケーブルストッパ４０（ストッパ本体４０ａ）により閉塞されているため、露出することなく絶縁が図れる。
【００３６】
次いで、ケーブル固定カバー１３を位置合わせしつつハウジング本体１１に嵌め込むことにより、図１２に示すようにケーブル固定カバー１３の一方のみからケーブルが突出した幹線側のコネクタが完成する。このコネクタ１０の雌型コネクタ部２１に別途用意した図示省略の支線用のコネクタ（雄型）を接続することにより、延長配線処理が完成する。よって、このようにケーブルストッパ４０を折り込んだでは、延長用のコネクタとして利用できる形態となる。
【００３７】
図１２に示すようにケーブル５０の端部をケーブル固定カバー１３に取り付けた状態で、そのケーブル固定カバー１３をハウジング本体１１に連結した状態では、コンタクト１２のケーブル接続端子１２ｂが、カバー本体３０に設けた貫通孔３７内を貫通し、その先端が溝部３４内に突出している。よって、図１３に示すように、ケーブル接続端子１２ｂのＶ字状切込部１２ｃにより案内されてケーブル５０の被覆５１が切り裂かれ、ケーブルの芯線５２がスリット１２ｄ内に位置する。これにより、芯線５２とスリット１２ｄが接触し、導通される。なお、図８に示したケーブル５０とコンタクト１２との接続構造は、図８に示した分岐用に用いた場合も同様の構成となる。
なお、コネクタ１０は、雌型のコネクタ部を設けたが、雄型にしてもよいし、その他各種の形態をとることができる。また、プリント基板１４は設けなくても良い。
【図面の簡単な説明】
【００３８】
【図１】従来例を示す図である。
【図２】本発明に係るコネクタの好適な一実施の形態を示す分解斜視図である。
【図３】本発明に係るコネクタの好適な一実施の形態を示す分解斜視図である。
【図４】本発明に係るコネクタの好適な一実施の形態を示す分解斜視図である。
【図５】プリント基板の実装部分を拡大して示す図である。
【図６】基準状態（分起用）におけるケーブル固定カバー１３の組立状態を示す図である。
【図７】基準状態（分起用）におけるケーブル固定カバー１３の組立状態を示す図である。
【図８】基準状態（分起用）におけるケーブル固定カバー１３の組立状態を示す図である。
【図９】基準状態（延長用）におけるケーブル固定カバー１３の組立状態を示す図である。
【図１０】基準状態（延長用）におけるケーブル固定カバー１３の組立状態を示す図である。
【図１１】基準状態（延長用）におけるケーブル固定カバー１３の組立状態を示す図である。
【図１２】基準状態（延長用）におけるケーブル固定カバー１３の組立状態を示す図である。
【図１３】図１２の断面図である。
【符号の説明】
【００３９】
１０  コネクタ
１１  ハウジング本体
１２  コンタクト
１３  ケーブル固定カバー
１４  プリント基板
１５  カバー
３４  溝部
３７  貫通孔
４０  ケーブルストッパ
４０ａ  ストッパ本体
４０ｂ  連結片
【図１】
2005216688.tif 000003
【図２】
2005216688.tif 000004
【図３】
2005216688.tif 000005
【図４】
2005216688.tif 000006
【図５】
2005216688.tif 000007
【図６】
2005216688.tif 000008
【図７】
2005216688.tif 000009
【図８】
2005216688.tif 000010
【図９】
2005216688.tif 000011
【図１０】
2005216688.tif 000012
【図１１】
2005216688.tif 000013
【図１２】
2005216688.tif 000014
【図１３】
2005216688.tif 000015